(57)【要約】  【課題】  白内障患者が有する色覚のずれを補正することができる照明装置を提供する。  【解決手段】  スイッチ１又はスイッチ３の操作により、Ａ／Ｄ変換器は、取得した光強度信号又は発光スペクトル信号を、各信号の電圧値に応じたデジタルデータに変換し、変換したデータをアドレス指定部５へ出力する。制御部８は、取得した光強度信号又は発光スペクトル信号に基づいて、アドレス指定部５へ出力されたデータ（アドレス値）を記憶部６へ出力し、変換したデータで指定されるアドレスに記憶された設定値を記憶部６から読み出す。制御部８は、読み出した設定値をＤ／Ａ変換器９ａ、９ｂ、９ｃ、９ｄへ出力し、増幅器１０ａ、１０ｂ、１０ｃ、１０ｄを介して、ＬＥＤ１１ａ、１１ｂ、１１ｃ、１１ｄ夫々が所要の強度の光を発するよう制御する。【選択図】      図１
2007052954.tif 000002
【特許請求の範囲】
【請求項１】
可視光領域の波長分布を補正するための補助光源を有する照明装置において、
前記補助光源の光は、
可視光領域の短波長側に発光スペクトルを有し、
前記補助光源の光の強度を調節する強度調節手段を備えることを特徴とする照明装置。
【請求項２】
可視光領域の波長分布を補正するための補助光源を複数有する照明装置において、
前記補助光源の光夫々は、
可視光領域の異なる波長の発光スペクトルを有し、
前記補助光源の光の合成光は、
可視光領域の短波長側で光の強度が大きい分光分布を有することを特徴とする照明装置。
【請求項３】
前記補助光源の光の強度を調節する強度調節手段を備えることを特徴とする請求項２に記載の照明装置。
【請求項４】
前記合成光の強度を調節する合成光強度調節手段と、
前記合成光の発光スペクトルを調節する発光スペクトル調節手段と
を備え、
前記合成光強度調節手段又は発光スペクトル調節手段での調節に基づいて、前記補助光源の光の強度を調節するようにしてあることを特徴とする請求項２に記載の照明装置。
【請求項５】
前記補助光源の光の強度を設定する設定値を複数記憶する記憶手段を備え、
前記設定値に基づいて、前記補助光源の光の強度を調節するようにしてあることを特徴とする請求項４に記載の照明装置。
【請求項６】
前記補助光源は、ＬＥＤであることを特徴とする請求項１乃至請求項５のいずれかに記載の照明装置。
【請求項７】
前記補助光源で可視光領域の波長分布が補正される光源を備えることを特徴とする請求項１乃至請求項６のいずれかに記載の照明装置。
【発明の詳細な説明】
【技術分野】
【０００１】
本発明は、可視光領域の波長分布を補正するための補助光源を有し、特に白内障患者が有する色覚のずれを補正するための照明装置に関する。
【背景技術】
【０００２】
白内障は、年齢の増加とともに現れる老人性白内障の他、糖尿病、網膜剥離、アトピー、外傷性などによる白内障がある。老人性白内障の場合は、加齢によって水晶体の一成分であるタンパク質が濁り、代謝による老廃物が水晶体の中央部に集まり、光が通りにくくなり、可視光領域での短波長側の光の透過率が低下する結果、白内障患者の色の見え方は、全体的に黄色みがかったようになり、健常者に比べて色覚（又は色調）のずれがある。
【０００３】
図５は健常者を基準とした白内障患者の水晶体の分光透過率特性の例を示す説明図である。水晶体の分光透過率特性は、個々の白内障患者により異なるものの、図５に示すように、可視光領域の長波長側から短波長側に向かって、徐々に光の透過率は低下する傾向にある。
【０００４】
そこで、年齢の増加による水晶体の光学特性の変化によって生ずる色覚のずれを補正して、高齢者であっても、若年者又は健常者と同じ色の見え方に近づけるために、青色発光蛍光体、緑色発光蛍光体、及び赤色発光蛍光体の混合物からなり、ｘｙ色度座標上の所定の昼光色の領域に色度を有する３波長域発光形蛍光ランプが提案されている（特許文献１参照）。
【特許文献１】特開平１−２５５１５２号公報
【発明の開示】
【発明が解決しようとする課題】
【０００５】
しかしながら、特許文献１の例にあっては、蛍光ランプの製造時に、予め可視光領域での短波長域の光強度が大きくなるような蛍光体を配合するため、蛍光ランプの光分布特性は製造時に決定される。一方、白内障患者の色覚のずれには、個人差があるため、個々の白内障患者の色覚のずれに対応するためには、多くの種類の蛍光ランプを製造する必要があり、個々の白内障患者の症状に合わせて、簡便な方法で色覚（又は色調）のずれを補正することができないため実用化には至らなかった。
【０００６】
本発明は斯かる事情に鑑みてなされたものであり、可視光領域の短波長側に発光スペクトルを有する補助光源の光の強度を調節する強度調節手段を備えることにより、白内障患者の症状に合わせて前記補助光源で発する光の強度を調節して色覚のずれを補正することができる照明装置を提供することを目的とする。
【０００７】
本発明の他の目的は、可視光領域の異なる波長の発光スペクトルを有する複数の補助光源の光の合成光は、可視光領域の短波長側で光の強度が大きい分光分布を有することにより、白内障患者の症状に合わせて、より簡便な構成で色覚のずれを補正することができる照明装置を提供することにある。
【０００８】
本発明の他の目的は、補助光源夫々で発する光の強度を調節する強度調節手段を備えることにより、個々の白内障患者の症状に合わせて前記補助光源で発する補助光の強度を調節して色覚のずれをさらに精度良く補正することができる照明装置を提供することにある。
【０００９】
本発明の他の目的は、前記合成光の強度を調節する合成光強度調節手段及び前記合成光の発光スペクトルを調節する発光スペクトル調節手段を備えることにより、より簡便に補助光の調節をすることができる照明装置を提供することにある。
【００１０】
本発明の他の目的は、予め前記補助光源の光の強度を設定する設定値を複数記憶し、記憶した設定値に基づいて、前記補助光源の光の強度を調節することにより、個々の白内障患者の水晶体の分光透過率特性に応じて予め設定された設定値を用いることができ、白内障患者の症状に合わせて最適な補助光を調節することができる照明装置を提供することにある。
【００１１】
本発明の他の目的は、前記補助光源はＬＥＤであることにより、小型化、軽量化、省電力化を図ることができる照明装置を提供することにある。
【００１２】
本発明の他の目的は、補助光源と光源とを備えることにより、一つの照明装置で光源の光を補正することができる照明装置を提供することにある。
【課題を解決するための手段】
【００１３】
第１発明に係る照明装置は、可視光領域の波長分布を補正するための補助光源を有する照明装置において、前記補助光源の光は、可視光領域の短波長側に発光スペクトルを有し、前記補助光源の光の強度を調節する強度調節手段を備えることを特徴とする。
【００１４】
第２発明に係る照明装置は、可視光領域の波長分布を補正するための補助光源を複数有する照明装置において、前記補助光源の光夫々は、可視光領域の異なる波長の発光スペクトルを有し、前記補助光源の光の合成光は、可視光領域の短波長側で光の強度が大きい分光分布を有することを特徴とする。
【００１５】
第３発明に係る照明装置は、第２発明において、前記補助光源の光の強度を調節する強度調節手段を備えることを特徴とする。
【００１６】
第４発明に係る照明装置は、第２発明において、前記合成光の強度を調節する合成光強度調節手段と、前記合成光の発光スペクトルを調節する発光スペクトル調節手段とを備え、前記合成光強度調節手段又は発光スペクトル調節手段での調節に基づいて、前記補助光源の光の強度を調節するようにしてあることを特徴とする。
【００１７】
第５発明に係る照明装置は、第４発明において、前記補助光源の光の強度を設定する設定値を複数記憶する記憶手段を備え、前記設定値に基づいて、前記補助光源の光の強度を調節するようにしてあることを特徴とする。
【００１８】
第６発明に係る照明装置は、第１発明乃至第５発明のいずれかにおいて、前記補助光源は、ＬＥＤであることを特徴とする。
【００１９】
第７発明に係る照明装置は、第１発明乃至第６発明のいずれかにおいて、前記補助光源で可視光領域の波長分布が補正される光源を備えることを特徴とする。
【００２０】
第１発明にあっては、補助光源の光は、可視光領域の短波長側（例えば、青色、青緑色など）に発光スペクトルを有する。強度調節手段で補助光源の光の強度を調節することにより、青色又は青緑色の光を増強するとともに、該光の強度を調節する。これにより、白内障患者の水晶体の分光透過率特性において、可視光領域での短波長側の光の透過率低下を補い、可視光領域の短波長側の光を増強補正し、補正した光を視対象に照射して、白内障患者の色覚を健常者の色覚に近づける。
【００２１】
第２発明にあっては、可視光領域の異なる波長の発光スペクトルを有する補助光源を複数有し、該補助光源夫々の光の合成光は、可視光領域の短波長側で光の強度が大きい分光分布を有し、可視光領域の短波長側（例えば、青色、青緑色、緑など）の光を増強する。これにより、白内障患者の水晶体の分光透過率特性において、可視光領域での短波長側の光の透過率低下を補い、可視光領域の短波長側の光を前記分光透過率特性に対応するように増強補正し、補正した光を視対象に照射して、白内障患者の色覚を健常者の色覚に近づける。
【００２２】
第３発明にあっては、強度調節手段で夫々の補助光源の光の強度を調節することにより、可視光領域の短波長側（例えば、青色、青緑色、緑など）における所要の波長の発光スペクトルの光の強度を個別に増減する。これにより、個々の白内障患者の症状に合わせて、白内障患者の水晶体が有する可視光領域での短波長側の光の透過率低下を補い、可視光領域の短波長側の光を前記分光透過率特性に対応するように補正し、補正した光を視対象に照射して、白内障患者の色覚を健常者の色覚に近づける。
【００２３】
第４発明にあっては、合成光強度調節手段は、補助光源夫々の光で合成された合成光の強度を調節する。発光スペクトル調節手段は、異なる波長の発光スペクトルを有する補助光源の光の強度を個別に増減することにより、合成光の発光スペクトル特性を変化させる。これにより、個々の白内障患者の症状に合わせて、白内障患者の水晶体が有する可視光領域での短波長側の光の透過率低下を補い、可視光領域の短波長側の光を前記分光透過率特性に対応するように補正し、補正した光を視対象に照射して、補助光源の強度を個々に調節する場合に比べて、より簡便に白内障患者の色覚を健常者の色覚に近づける。
【００２４】
第５発明にあっては、予め白内障の症状による水晶体の分光透過率特性に対応して、補助光源の光の強度を設定する設定値を複数記憶しておく。記憶した設定値の中の所要の設定値に基づいて、前記補助光源の光の強度を調節する。これにより、個々の白内障患者の症状に合わせて、可視光領域の短波長側の光を最適に補正し、補正した光を視対象に照射して、白内障患者の色覚を健常者の色覚に近づける。
【００２５】
第６発明にあっては、前記補助光源はＬＥＤである。
【００２６】
第７発明にあっては、前記補助光源で可視光領域の波長分布が補正される光源を備える。前記光源で発した光の可視光領域の波長分布を、前記補助光源で補正する。
【発明の効果】
【００２７】
第１発明にあっては、可視光領域の短波長側に発光スペクトルを有する補助光源の光の強度を調節する強度調節手段を備えることにより、可視光領域の短波長側の光の透過率が健常者に比べて低下している白内障患者の症状に合わせて補助光の強度を調節して色覚のずれを補正することができる。
【００２８】
第２発明にあっては、可視光領域の異なる波長の発光スペクトルを有する複数の補助光源の光の合成光は、可視光領域の短波長側で光の強度が大きい分光分布を有することにより、白内障患者の水晶体が有する分光透過率特性に対応して、より簡便に色覚のずれを補正することができる。
【００２９】
第３発明にあっては、可視光領域の異なる波長の発光スペクトルを有する補助光源夫々で発する光の強度を調節する強度調節手段を備えることにより、個々の白内障患者の症状に合わせて補助光の強度を調節して色覚のずれをさらに精度良く補正することができる。
【００３０】
第４発明にあっては、前記合成光の強度を調節する合成光強度調節手段及び前記合成光の発光スペクトルを調節する発光スペクトル調節手段を備えることにより、補助光源の強度を個々に調節する場合に比べて、より簡便に補助光の調節をすることができる。
【００３１】
第５発明にあっては、予め前記補助光源の光の強度を設定する設定値を複数記憶し、記憶した設定値に基づいて補助光源の光の強度を調節することにより、白内障患者の水晶体の分光透過率特性に応じて予め設定された設定値を用いることができ、白内障患者の症状に合わせて最適な補助光を調節することができる。
【００３２】
第６発明にあっては、補助光源がＬＥＤであることにより、白熱ランプ又は蛍光ランプを補助光源として使用する場合に比べて、小型化、軽量化、省電力化をすることができる。
【００３３】
第７発明にあっては、前記補助光源で可視光領域の波長分布が補正される光源を備えることにより、一つの照明装置で光源の光を補正することができる。
【発明を実施するための最良の形態】
【００３４】
以下、本発明をその実施の形態を示す図面に基づいて説明する。図１は本発明に係る照明装置の構成を示すブロック図である。図において、１は後述するＬＥＤで発する光の合成光の強度を調節するための光強度調節用のスイッチである。スイッチ１は、調節用のボリュームを有し、該ボリュームの回転に応じて出力値が可変する電圧を光強度信号としてＡ／Ｄ変換器２、及び制御部８へ出力する。Ａ／Ｄ変換器２は、スイッチ１で出力された光強度信号を取得し、取得した光強度信号をデジタルデータ（例えば、８ビット）に変換し、変換後のデジタルデータを、例えば、１６ビットのレジスタにより構成されるアドレス指定部５の上位８ビットへ出力する。これにより、スイッチ１の調節用のボリュームを最小値から最大値に回転するに応じて、値が変化する（例えば、０から２５５）デジタルデータをアドレス指定部５へ出力する。
【００３５】
スイッチ３は、ＬＥＤで発する光の合成光の発光スペクトルの特性を調節するための調節用のボリュームを有し、該ボリュームの回転に応じて出力値が可変する電圧を発光スペクトル信号としてＡ／Ｄ変換器４、及び制御部８へ出力する。Ａ／Ｄ変換器４は、スイッチ３で出力された発光スペクトルを取得し、取得した発光スペクトル信号をデジタルデータ（例えば、８ビット）に変換し、変換後のデジタルデータを、アドレス指定部５の下位８ビットへ出力する。これにより、スイッチ３の調節用のボリュームを最小値から最大値に回転するに応じて、値が変化するデジタルデータをアドレス指定部５へ出力する。
【００３６】
アドレス指定部５は、入力されたデジタルデータに基づいて、記憶部６のアドレスを指定する。
【００３７】
制御部８は、スイッチ１、３から入力された光強度信号又は発光スペクトル信号に基づいて、アドレス指定部５で指定されたアドレス値を記憶部６へ出力するタイミングを制御し、アドレス指定部５で指定されたアドレス値が記憶部６へ出力された場合、記憶部６は記憶してあるデータ（設定値）を、例えば、３２ビットのレジスタで構成される設定値出力部７へ出力する。
【００３８】
制御部８は、オフ／オフ操作用のスイッチ１２の操作に応じて、オン／オフ信号を取得し、オン信号を取得した場合には、制御部８は、所定のアドレス値をアドレス指定部５に出力し、前記アドレス値に対応するデータ（初期値）を記憶部６から設定値出力部７に読み出し、読み出したデータを後述するＤ／Ａ変換器へ出力し、ＬＥＤを点灯する。オフ信号を取得した場合は、制御部８は、ＬＥＤを消灯する。
【００３９】
記憶部６は、ＬＥＤの光の強度を設定する設定値を、例えば、ＬＥＤ毎に８ビットのデータとして記憶している。後述するように、４つの異なる発光スペクトルを有するＬＥＤを備えている場合には、記憶部６は、３２ビット（４×８ビット）から構成される設定値を記憶している。記憶部６に記憶される設定値は、アドレス指定部５の上位８ビット、及び下位８ビットで指定されるアドレスに応じて、ＬＥＤの光の強度が変化するように予め定められている。例えば、上位８ビットで指定される値が大きくなるに応じて、各ＬＥＤ用の設定値は同じように大きくなるようにしてあり、また、下位８ビットで指定される値に応じて、各ＬＥＤ用の設定値は別個に変化するようにしてある。また、記憶部６に記憶する設定値は、予め個々の白内障の症状による水晶体の分光透過率特性に対応して、短波長側の透過率低下を補正するように設定してある。これにより、スイッチ１、３を調節することにより、所望の設定値を用いることができる。
【００４０】
設定値出力部７は、記憶部６から読み出されたデータ（設定値）を一旦保持し、制御部８の制御により所定のタイミングで、保持したデータをＤ／Ａ変換器９ａ、９ｂ、９ｃ、９ｄへ出力する。
【００４１】
Ｄ／Ａ変換器９ａ、９ｂ、９ｃ、９ｄは、設定値出力部７から入力されたデータを、デジタル値の大小に応じて、所要の電圧に変換し、変換した電圧夫々を増幅器１０ａ、１０ｂ、１０ｃ、１０ｄへ出力する。
【００４２】
増幅器１０ａ、１０ｂ、１０ｃ、１０ｄは、Ｄ／Ａ変換器９ａ、９ｂ、９ｃ、９ｄから入力された電圧を所定の増幅率で増幅し、増幅して得られた電圧に応じた電流をＬＥＤ１１ａ、１１ｂ、１１ｃ、１１ｄに流す。ＬＥＤ１１ａ、１１ｂ、１１ｃ、１１ｄで発する光夫々は、青色、青緑色、緑色、黄色を中心とした発光スペクトルを有する。ＬＥＤ１１ａ、１１ｂ、１１ｃ、１１ｄ夫々に流れる電流を変化させることにより、ＬＥＤ１１ａ、１１ｂ、１１ｃ、１１ｄで発する光の強度を調節するとともに、発光スペクトルの分布特性を調節することができる。なお、ＬＥＤ１１ａ、１１ｂ、１１ｃ、１１ｄ夫々は、１個のＬＥＤでもよく、また、複数のＬＥＤを直列又は並列接続して構成したＬＥＤ群であってもよい。
【００４３】
これにより、各ＬＥＤ１１ａ、１１ｂ、１１ｃ、１１ｄの光で合成される合成光の強度の調節は、光強度調節用のスイッチ１、Ａ／Ｄ変換器２、アドレス指定部５、記憶部６などにより構成され、記憶部６に予め記憶された設定値を設定値出力部７へ出力することにより、Ｄ／Ａ変換器９ａ、９ｂ、９ｃ、９ｄ、増幅器１０ａ、１０ｂ、１０ｃ、１０ｄにより設定値に応じた強度でＬＥＤ１１ａ、１１ｂ、１１ｃ、１１ｄを点灯することにより、各ＬＥＤ１１ａ、１１ｂ、１１ｃ、１１ｄの光の強度を同じように変更することにより実現することができる。
【００４４】
また、各ＬＥＤ１１ａ、１１ｂ、１１ｃ、１１ｄの光で合成される合成光の発光スペクトルの調節は、発光スペクトル調節用のスイッチ３、Ａ／Ｄ変換器４、アドレス指定部５、記憶部６などにより構成され、記憶部６に予め記憶された設定値を設定値出力部７へ出力することにより、Ｄ／Ａ変換器９ａ、９ｂ、９ｃ、９ｄ、増幅器１０ａ、１０ｂ、１０ｃ、１０ｄにより設定値に応じた強度でＬＥＤ１１ａ、１１ｂ、１１ｃ、１１ｄを点灯することにより、各ＬＥＤ１１ａ、１１ｂ、１１ｃ、１１ｄの光の強度を個別に変更することにより実現することができる。
【００４５】
図２は本発明に係る照明装置の外観斜視図である。図において、１６は平面視が略楕円形であって箱状の本体部である。本体部１６は、机、テーブルなどに載置可能であって、光強度調節用のスイッチ１、発光スペクトル調節用のスイッチ３、オン／オフ操作用のスイッチ１２、ＬＥＤの光の強度調節を制御する制御部８などを備えている。本体部１６には、適長の折曲自在の支柱部１５を取付けてあり、支柱部１５の端部には、矩形状の反射板１４ａの表面に蛍光灯１３（光源）、補助光源としてのＬＥＤ１１ａ、１１ｂ、１１ｃ、１１ｄ、…を配置した発光部１４を設けている。
【００４６】
蛍光灯１３は、直管形であり、反射板１４ａに平行に配置してある。蛍光灯１３の片側には、蛍光灯１３の長手方向に、ＬＥＤ１１ａ、１１ｂ、１１ｃ、１１ｄ、…を適長の離隔寸法を隔てて並置してある。
【００４７】
次に本発明に係る照明装置の動作について説明する。オン／オフ操作用のスイッチ１２の操作により、オン信号を取得した場合、蛍光灯１３を点灯させるとともに、制御部８は、ＬＥＤ１１ａ、１１ｂ、１１ｃ、１１ｄで発する光の強度の初期値を記憶部６から読み出し、ＬＥＤ１１ａ、１１ｂ、１１ｃ、１１ｄを初期値に応じた光の強度で点灯する。
【００４８】
図３はＬＥＤ１１ａ、１１ｂ、１１ｃ、１１ｄの分光分布の例を示す説明図である。図に示すように、最も短波長側である青色のＬＥＤ１１ａの光の強度が最も大きく、青緑色のＬＥＤ１１ｂ、緑色のＬＥＤ１１ｃの光の強度は、徐々に小さくしてあり、最も長波長側である黄色のＬＥＤ１１ｄの光の強度が最も小さくしてある。図に示す分光分布が得られるように初期値を設定しておくことにより、ＬＥＤ１１ａ、１１ｂ、１１ｃ、１１ｄで構成される補助光源の分光分布は、可視光領域において、長波長側から短波長側になるに応じて、徐々に光の強度が大きくなり、補助光源を蛍光灯１３と同時に視対象に照射した場合に、白内障患者特有の可視光領域での短波長側の光の透過率低下を補い、可視光領域の短波長側の光を増強補正する。
【００４９】
光強度調節用のスイッチ１又は発光スペクトル調節用のスイッチ３の操作により、光強度信号又は発光スペクトル信号を取得した場合、Ａ／Ｄ変換器は、取得した光強度信号又は発光スペクトル信号を、各信号の電圧値に応じたデジタルデータに変換し、変換したデータをアドレス指定部５へ出力する。制御部８は、取得した光強度信号又は発光スペクトル信号に基づいて、アドレス指定部５へ出力されたデータ（アドレス値）を記憶部６へ出力し、変換したデータで指定されるアドレスに記憶された設定値を記憶部６から読み出す。
【００５０】
制御部８は、読み出した設定値をＤ／Ａ変換器９ａ、９ｂ、９ｃ、９ｄへ出力し、増幅器１０ａ、１０ｂ、１０ｃ、１０ｄを介して、ＬＥＤ１１ａ、１１ｂ、１１ｃ、１１ｄ夫々が所要の強度の光を発するよう制御する。これにより、個々の白内障患者の症状に合わせて、色覚のずれを補正するようにＬＥＤ１１ａ、１１ｂ、１１ｃ、１１ｄ夫々の光強度を調節することができる。
【００５１】
図４はＬＥＤ１１ａ、１１ｂ、１１ｃ、１１ｄの光の強度及び発光スペクトルの調節例を示す説明図である。図４（ａ）に示すように、光強度を調節（例えば、減少）することにより、ＬＥＤ１１ａ、１１ｂ、１１ｃ、１１ｄ夫々の光の強度は減少し、ＬＥＤ１１ａ、１１ｂ、１１ｃ、１１ｄで構成される補助光源の発光スペクトルのピークを減少させることができる。
【００５２】
また、図４（ｂ）に示すように、発光スペクトルを調節することにより、青色のＬＥＤ１１ａの光の強度を下げ、青緑色のＬＥＤ１１ｂの光の強度を上げることにより、ＬＥＤ１１ａ、１１ｂ、１１ｃ、１１ｄで構成される補助光源の発光スペクトルの特性を変化させることができる。
【００５３】
本発明の照明装置は、光強度調節用のスイッチ１又は発光スペクトル調節用のスイッチ３の操作により、一旦設定値を選択した後は、蛍光灯１３と併用することにより、白内障患者の一般照明として使用することができ、また、必要に応じて補助光源のみを消灯することもできる。また、記憶部６に記憶した初期値を、光強度調節用のスイッチ１又は発光スペクトル調節用のスイッチ３の操作で設定された設定値で置き換えることにより、一旦設定した設定値を、継続して使用することもできる。
【００５４】
以上説明したように、本発明にあっては、予め個々の白内障の症状による水晶体の分光透過率特性に対応して、短波長側の透過率低下を補正するようにＬＥＤ１１ａ、１１ｂ、１１ｃ、１１ｄ夫々の光の強度を設定する設定値を記憶しておき、白内障患者の症状に合わせて、光の強度又は発光スペクトルを調節することにより、所要の光強度又は発光スペクトルでＬＥＤ１１ａ、１１ｂ、１１ｃ、１１ｄ夫々を点灯させることができ、可視光領域の短波長側の光の透過率が健常者に比べて低下している白内障患者の個々の症状に合わせて補助光の強度を調節して色覚（又は色調）のずれを補正することができる。
【００５５】
また、所望の分光分布を得るためには、不要な波長帯域の光をフィルタで遮断する方法も考えられるが、エネルギー効率の観点からは効率的ということはできず、この点においても、フィルタを必要としない本発明の照明装置は、補助光源のエネルギーを有効に活用することができる。
【００５６】
上述の実施の形態においては、直管形の蛍光灯の片側にＬＥＤを並置する構成であったが、ＬＥＤの配置は、これに限定されるものではなく、例えば、蛍光灯の両側にＬＥＤを並置する構成、蛍光灯の周囲にＬＥＤを離隔して配置する構成、複数本の蛍光灯の間にＬＥＤを配置する構成、直管形に代えて円形状の蛍光灯の外側又は内側にＬＥＤを配置する構成、蛍光灯に代えて白熱灯の周囲にＬＥＤを配置する構成など、いずれの配置であってもよいことはいうまでもない。また、光源としての蛍光灯、白熱灯などを備えず、ＬＥＤで構成される補助光源のみを備える構成であってもよい。
【００５７】
上述の実施の形態においては、複数のＬＥＤを配置する構成であったが、１つのＬＥＤを配置するものであってもよい。この場合には、ＬＥＤは、例えば、青色又は青緑色近傍などにピークがある発光スペクトルを有するものであればよく、また、ＬＥＤの光の強度は、該ＬＥＤの光の強度調節用のスイッチを設け、光強度信号を同様に取得することにより、調節することが可能である。
【００５８】
上述の実施の形態においては、光強度信号及び発光スペクトル信号を取得して、各ＬＥＤの光の強度を調節する構成であったが、光強度信号及び発光スペクトル信号を取得することなく、予め白内障の典型的な症状による水晶体の分光透過率特性に対応して、短波長側の透過率低下を補正すべく、可視光領域の短波長側で光の強度が大きい分光分布を有するように各ＬＥＤの光の強度を設定する設定値を定めておき、該設定値に基づいて各ＬＥＤを点灯するようにしてもよい。これにより、照明装置の構成を簡略化することができる。
【００５９】
上述の実施の形態においては、光強度信号及び発光スペクトル信号を取得して、各ＬＥＤの光の強度を調節する構成であったが、光強度信号及び発光スペクトル信号に代えて、各ＬＥＤに対応した光強度信号を取得する構成であってもよい。この場合には、個々のＬＥＤの光強度を個別に制御することができる。
【００６０】
上述の実施の形態においては、各ＬＥＤの光の強度を設定する設定値を記憶する構成であったが、これに限定されるものではなく、各ＬＥＤの光の強度を演算する演算回路を設け、光強度信号及び発光スペクトル信号を取得し、取得した信号に基づいて、各ＬＥＤの光の強度を演算する構成であってもよい。
【００６１】
上述の実施の形態においては、青色、青緑色、緑色、黄色のＬＥＤを配置した構成であったが、色（波長）これに限定されず、ＬＥＤは他の色（波長）のものを使用することができることはいうまでもない。
【００６２】
上述の実施の形態においては、スイッチ１、３は、調節用のボリュームを有するものであったが、これに限定されるものではない。例えば、調節用のタッチパネル、スライド式など、いずれの構成であってもよい。
【００６３】
上述の実施の形態においては、照明装置は、本体部、支柱部、発光部を備えた卓上用のものであったが、照明装置の形態は、これに限定されるものではなく、屋内の天井、壁などに配置されるものでもよく、例えば、発光部は部屋の天井に取り付け可能、又は天井に埋め込み可能な構成とし、調節用のスイッチを壁などに取付ける構成であってもよい。
【００６４】
上述の実施の形態においては、Ａ／Ｄ変換器、アドレス指定部、記憶部、設定値出力部、Ｄ／Ａ変換器などを備える構成であったが、ＬＥＤの光の強度を調節する手段は、これに限定されるものではなく、他の構成を用いるものであってもよい。
【図面の簡単な説明】
【００６５】
【図１】本発明に係る照明装置の構成を示すブロック図である。
【図２】本発明に係る照明装置の外観斜視図である。
【図３】ＬＥＤの分光分布の例を示す説明図である。
【図４】ＬＥＤの光の強度及び発光スペクトルの調節例を示す説明図である。
【図５】健常者を基準とした白内障患者の水晶体の分光透過率特性の例を示す説明図である。
【符号の説明】
【００６６】
１、３、１２  スイッチ
２、４  Ａ／Ｄ変換器
５  アドレス指定部
６  記憶部
７  設定値出力部
８  制御部
９ａ、９ｂ、９ｃ、９ｄ  Ｄ／Ａ変換器
１０ａ、１０ｂ、１０ｃ、１０ｄ  増幅器
１１ａ、１１ｂ、１１ｃ、１１ｄ  ＬＥＤ
１３  蛍光灯
【図１】
2007052954.tif 000003
【図２】
2007052954.tif 000004
【図３】
2007052954.tif 000005
【図４】
2007052954.tif 000006
【図５】
2007052954.tif 000007